(57)【要約】【課題】施設例えば駐車場においては、駐車券の紛失、破損による精算の不能、精算機での硬貨や紙幣の取り扱いのわずらわしさをなくする。【解決手段】ＩＣカードや携帯端末などのＩＣチップに記録されたＩＤ番号、ナンバープレートの車両番号など、施設利用１件ごとに施設利用ＩＤ番号を対応させて識別し、施設の利用者の携帯端末とネットワークを介して通信可能な管理サーバーで施設利用ＩＤ番号と関連付けて利用開始、終了、料金計算を管理し、携帯端末で施設利用が終わる時刻までの料金を予め支払をすれば、出口では、ＩＤ番号が確認されれば、直ちに施設から出ることができる。【選択図】  図1
2014174657.tif 000002
【特許請求の範囲】
【請求項１】
施設の利用料金を徴収するシステムであって、
施設の利用者が有する携帯端末とネットワークを介して通信可能な施設管理サーバと、
利用開始時刻と、開始しようとする施設の個々の利用を識別する施設利用ＩＤを決定し、ネットワークを介して施設管理サーバと通信可能な、利用開始管理手段と、
利用終了時刻と、終了しようとする施設の個々の利用に対応する施設利用ＩＤを決定するとともに、利用料金の精算が完了したかを判定し、ネットワークを介して施設管理サーバと通信可能な、利用終了管理手段と、
前記利用開始時刻が、施設利用ＩＤと関連付けられて記録される施設利用データベースと、
利用開始時刻及び利用時間と料金との関係が記録される料金データベースと、
を備え、
施設を利用開始するとき、利用開始管理手段は利用ごとに互いに異なる施設利用ＩＤを所定の方法により決定して、利用開始時刻と前記施設利用ＩＤをネットワークを介して施設管理サーバへ送信し、
前記施設管理サーバは、受信した利用開始時刻を、受信した施設利用ＩＤと関連付けて前記施設利用データベースへ記録し、
施設の利用を終了するよりも前に、施設利用料金を支払いするときは、前記携帯端末は、前記決定した施設利用ＩＤと、施設の利用を終了する予定の時刻及び施設利用料金の要求をネットワークを介して施設管理サーバへ送信し、
前記施設管理サーバは、受信した施設利用ＩＤに基づいて前記施設利用データベースを検索し、施設利用ＩＤと関連付けられて記録された利用開始時刻を読み取り、読み取られた利用開始時刻と、該利用開始時刻及び受信した利用終了予定時刻に基づいて求められた利用時間とに基づいて、前記料金データベースを参照して料金を求め、求められた料金を、ネットワークを介して前記携帯端末へ送信し、
前記携帯端末が料金を決済するときには、前記携帯端末は所定の決済手段を用いて前記施設管理サーバから受信した料金の決済を実行した後、前記料金が支払済みであることをネットワークを介して前記施設管理サーバへ送信し、
前記施設管理サーバは、施設利用ＩＤと関連付けて、支払済みの料金額を前記施設利用データベースに記録し、
施設の利用を終了するときは、利用終了管理手段は、終了しようとする利用を識別する施設利用ＩＤを所定の方法により決定し、利用終了時刻と前記施設利用ＩＤをネットワークを介して施設管理サーバへ送信し、
前記施設管理サーバは、受信した施設利用ＩＤに基づいて施設利用データベースを検索し、読み出された支払済みの料金額と利用開始時刻を読み取り、読み取られた利用開始時刻と、該利用開始時刻及び受信した利用終了時刻に基づいて求められた利用時間とに基づいて、前記料金データベースを参照して料金を求め、求められた料金を、該支払済みの料金額と比較して、少なくとも支払不足がないと判定した場合は、ネットワークを介して利用終了管理手段へ料金の支払いが完了したことを送信する、
ことを特徴とする施設利用料金徴収システム。
【請求項２】
施設利用ＩＤは、
利用開始管理手段が有するカード読み取り装置により読み取った、利用者が有するＩＣカードに記録されたＩＤ番号、または、利用者が有するカードに文字列、図形またはバーコードで記録されたＩＤ番号、または、利用者が有するカードに磁気的に記録されたＩＤ番号、
または、利用者が有する携帯端末に搭載された非接触ＩＣチップに記録されたＩＤ番号、
または、利用開始管理手段が有する車両番号認識装置で読み取った、ナンバープレートに記載される車両番号、
または、
予め利用者登録したとき顔認識装置で利用者の顔の特徴を読み取りしたデータと対応させて割り当てた利用者番号と関連付けて記録した利用者データベースを有し、
利用開始管理手段が有する顔認識装置で読み取った顔の特徴データから利用者データベースを検索して求める利用者番号、
または、互いに異なるように利用開始管理手段が割り当てし、利用開始管理手段が有する施設利用券発行機により発行した施設利用券に書き込まれたＩＤ番号、あるいは利用開始管理手段が有するＩＣカード書込機により、利用者が有するＩＣカードまたは携帯端末に搭載された非接触ＩＣチップに書き込まれたＩＤ番号、
のいずれかである、ことを特徴とする請求項１記載の施設利用料金徴収システム。
【請求項３】
施設内及び施設周辺の店舗に、施設利用ＩＤを読み取りできる割引認証機を設置し、
前記割引認証機は、施設利用ＩＤと店舗での支払金額と店舗を識別する店舗ＩＤを、施設管理サーバへ送信し、施設管理サーバは、受信した支払金額と、店舗ＩＤを、施設利用ＩＤと関連付けて、支払金額と店舗ＩＤが施設利用ＩＤと関連付けて記録される店舗支払データベースに記録し、
施設利用料金を計算するとき、
前記施設管理サーバは、施設利用ＩＤに基づいて店舗支払データベースを検索し、施設利用ＩＤと関連付けて記録された店舗ＩＤ及び支払金額を求め、求められた店舗ＩＤ及び支払金額に基づいて、店舗ＩＤによって識別される店舗ごとに定められた支払金額と割引金額との関係が記録された割引データベースを検索して割引金額を求め、求めた割引金額をネットワークを介して前記携帯端末へ送信する、
ことを特徴とする請求項１または２に記載の施設利用料金徴収システム。
【請求項４】
施設内及び施設周辺の店舗に、施設利用ＩＤを読み取りできるポイント認証機を設置し、
前記ポイント認証機は、施設利用ＩＤと店舗での支払金額と店舗を識別する店舗ＩＤを、施設管理サーバへ送信し、
前記施設管理サーバは、受信した施設利用ＩＤについて、ポイント会員の会員ＩＤを記録したポイント会員データベースを検索して、前記施設利用ＩＤが合致するか調べて、合致する会員ＩＤが存在する場合には、
前記施設管理サーバは、受信した店舗ＩＤ及び支払金額に基づいて、店舗ＩＤによって識別される店舗ごとに定められた支払金額とポイントとの関係が記録されたポイント付与ルールデータベースを検索して、付与するポイント数を求め、
前記施設管理サーバは、ポイント会員を識別する会員ＩＤと関連付けて会員が保持するポイント数を記録するポイント会員データベースを検索し、施設利用ＩＤと合致した会員ＩＤに関連付けて記録された現在のポイント数を求め、求めた現在のポイント数に、前記付与するポイント数を加算し、会員ＩＤに関連付けて会員が保持するポイント数を加算後のポイント数に更新することを特徴とする請求項１または２に記載の施設利用料金徴収システム。
【請求項５】
施設内及び施設周辺の店舗に、施設利用ＩＤを読み取りできるポイント認証機を設置し、
前記ポイント認証機は、施設利用ＩＤと店舗での支払金額と店舗を識別する店舗ＩＤを、施設管理サーバへ送信し、
前記施設管理サーバは、受信した施設利用ＩＤに基づいて店舗支払データベースを検索し、施設利用ＩＤと関連付けて記録された店舗ＩＤ及び支払金額を求め、求められた店舗ＩＤ及び支払金額に基づいて、店舗ＩＤによって識別される店舗ごとに定められた支払金額とポイントとの関係が記録されたポイント付与ルールデータベースを検索して付与するポイント値を求め、求めた付与するポイント値をネットワークを介して前記携帯端末へ送信することを特徴とする請求項１または２に記載の施設利用料金徴収システム。
【請求項６】
請求項１から請求項５において、施設利用ＩＤは駐車利用ＩＤ、施設管理サーバは駐車場管理サーバ、施設利用データベースは駐車利用データベースであることを特徴とする施設利用料金徴収システム。
【発明の詳細な説明】
【技術分野】
【０００１】
本発明は、施設利用に対する料金徴収システムに関するものである。
【背景技術】
【０００２】
駐車場等の施設の利用開始時刻と利用時間から決まる施設の利用料金を徴収するシステムにおいて、例えば駐車場において駐車料金の支払いは、駐車場出口に設置した精算機か、駐車スペース入口などに設置した事前精算機で行っていた。利用者が施設を出る際に料金を支払うために時間がかかり、多くの利用者が並び、待たされることがある。
【発明の概要】
【発明が解決しようとする課題】
【０００３】
駐車場においては、駐車場の入口で駐車券を発行して利用者へ渡すシステムが通例であるが、利用者が駐車券を紛失したり、駐車券が傷ついて出口の精算機で磁気データが読めず精算できなくなったり、車両を精算機の十分近くまで寄せたうえで駐車券を入れ、硬貨や紙幣で支払い釣り銭を取るわずらわしさがある。
【課題を解決するための手段】
【０００４】
上記課題を解決するため、本発明は、ＩＣカードや携帯端末などのＩＣチップに記録されたＩＤ番号、ナンバープレートの車両番号など、施設利用１件ごとにＩＤ番号を対応させて識別し、管理サーバで利用開始、終了、料金計算を管理し、携帯端末で施設利用が終わる時刻までの料金を予め支払をすれば、出口では、ＩＤ番号が確認されれば、直ちに施設から出ることができる。
【０００５】
請求項１に係る発明は、施設の利用料金を徴収するシステムであって、施設の利用者が有する携帯端末とネットワークを介して通信可能な施設管理サーバと、利用開始時刻と、開始しようとする施設の個々の利用を識別する施設利用ＩＤを決定し、ネットワークを介して施設管理サーバと通信可能な、利用開始管理手段と、利用終了時刻と、終了しようとする施設の個々の利用に対応する施設利用ＩＤを決定するとともに、利用料金の精算が完了したかを判定し、ネットワークを介して施設管理サーバと通信可能な、利用終了管理手段と、前記利用開始時刻が、施設利用ＩＤと関連付けられて記録される施設利用データベースと、利用開始時刻及び利用時間と料金との関係が記録される料金データベースと、を備え、施設を利用開始するとき、利用開始管理手段は利用ごとに互いに異なる施設利用ＩＤを所定の方法により決定して、利用開始時刻と前記施設利用ＩＤをネットワークを介して施設管理サーバへ送信し、前記施設管理サーバは、受信した利用開始時刻を、受信した施設利用ＩＤと関連付けて前記施設利用データベースへ記録し、施設の利用を終了するよりも前に、施設利用料金を支払いするときは、前記携帯端末は、前記決定した施設利用ＩＤと、施設の利用を終了する予定の時刻及び施設利用料金の要求をネットワークを介して施設管理サーバへ送信し、前記施設管理サーバは、受信した施設利用ＩＤに基づいて前記施設利用データベースを検索し、施設利用ＩＤと関連付けられて記録された利用開始時刻を読み取り、読み取られた利用開始時刻と、該利用開始時刻及び受信した利用終了予定時刻に基づいて求められた利用時間とに基づいて、前記料金データベースを参照して料金を求め、求められた料金を、ネットワークを介して前記携帯端末へ送信し、前記携帯端末が料金を決済するときには、前記携帯端末は所定の決済手段を用いて前記施設管理サーバから受信した料金の決済を実行した後、前記料金が支払済みであることをネットワークを介して前記施設管理サーバへ送信し、前記施設管理サーバは、施設利用ＩＤと関連付けて、支払済みの料金額を前記施設利用データベースに記録し、施設の利用を終了するときは、利用終了管理手段は、終了しようとする利用を識別する施設利用ＩＤを所定の方法により決定し、利用終了時刻と前記施設利用ＩＤをネットワークを介して施設管理サーバへ送信し、前記施設管理サーバは、受信した施設利用ＩＤに基づいて施設利用データベースを検索し、読み出された支払済みの料金額と利用開始時刻を読み取り、読み取られた利用開始時刻と、該利用開始時刻及び受信した利用終了時刻に基づいて求められた利用時間とに基づいて、前記料金データベースを参照して料金を求め、求められた料金を、該支払済みの料金額と比較して、少なくとも支払不足がないと判定した場合は、ネットワークを介して利用終了管理手段へ料金の支払いが完了したことを送信する、ことを特徴とするものである。
【０００６】
請求項２に係る発明は、請求項１において、施設利用ＩＤは、利用開始管理手段が有するカード読み取り装置により読み取った、利用者が有するＩＣカードに記録されたＩＤ番号、または、利用者が有するカードに文字列、図形またはバーコードで記録されたＩＤ番号、または、利用者が有するカードに磁気的に記録されたＩＤ番号、または、利用者が有する携帯端末に搭載された非接触ＩＣチップに記録されたＩＤ番号、または、利用開始管理手段が有する車両番号認識装置で読み取った、ナンバープレートに記載される車両番号、または、予め利用者登録したとき顔認識装置で利用者の顔の特徴を読み取りしたデータと対応させて割り当てた利用者番号と関連付けて記録した利用者データベースを有し、利用開始管理手段が有する顔認識装置で読み取った顔の特徴データから利用者データベースを検索して求める利用者番号、または、互いに異なるように利用開始管理手段が割り当てし、利用開始管理手段が有する施設利用券発行機により発行した施設利用券に書き込まれたＩＤ番号、あるいは利用開始管理手段が有するＩＣカード書込機により、利用者が有するＩＣカードまたは携帯端末に搭載された非接触ＩＣチップに書き込まれたＩＤ番号、のいずれかである、ことを特徴とするものである。
【０００７】
請求項３に係る発明は、請求項１または２において、施設内及び施設周辺の店舗に、施設利用ＩＤを読み取りできる割引認証機を設置し、前記割引認証機は、施設利用ＩＤと店舗での支払金額と店舗を識別する店舗ＩＤを、施設管理サーバへ送信し、施設管理サーバは、受信した支払金額と、店舗ＩＤを、施設利用ＩＤと関連付けて、支払金額と店舗ＩＤが施設利用ＩＤと関連付けて記録される店舗支払データベースに記録し、施設利用料金を計算するとき、前記施設管理サーバは、施設利用ＩＤに基づいて店舗支払データベースを検索し、施設利用ＩＤと関連付けて記録された店舗ＩＤ及び支払金額を求め、求められた店舗ＩＤ及び支払金額に基づいて、店舗ＩＤによって識別される店舗ごとに定められた支払金額と割引金額との関係が記録された割引データベースを検索して割引金額を求め、求めた割引金額をネットワークを介して前記携帯端末へ送信する、ことを特徴とするものである。
【０００８】
請求項４に係る発明は、請求項１または２において、施設内及び施設周辺の店舗に、施設利用ＩＤを読み取りできるポイント認証機を設置し、前記ポイント認証機は、施設利用ＩＤと店舗での支払金額と店舗を識別する店舗ＩＤを、施設管理サーバへ送信し、前記施設管理サーバは、受信した施設利用ＩＤについて、ポイント会員の会員ＩＤを記録したポイント会員データベースを検索して、前記施設利用ＩＤが合致するか調べて、合致する会員ＩＤが存在する場合には、前記施設管理サーバは、受信した店舗ＩＤ及び支払金額に基づいて、店舗ＩＤによって識別される店舗ごとに定められた支払金額とポイントとの関係が記録されたポイント付与ルールデータベースを検索して、付与するポイント数を求め、前記施設管理サーバは、ポイント会員を識別する会員ＩＤと関連付けて会員が保持するポイント数を記録するポイント会員データベースを検索し、施設利用ＩＤと合致した会員ＩＤに関連付けて記録された現在のポイント数を求め、求めた現在のポイント数に、前記付与するポイント数を加算し、会員ＩＤに関連付けて会員が保持するポイント数を加算後のポイント数に更新することを特徴とするものである。
【０００９】
請求項５に係る発明は、請求項１または２において、施設内及び施設周辺の店舗に、施設利用ＩＤを読み取りできるポイント認証機を設置し、前記ポイント認証機は、施設利用ＩＤと店舗での支払金額と店舗を識別する店舗ＩＤを、施設管理サーバへ送信し、前記施設管理サーバは、受信した施設利用ＩＤに基づいて店舗支払データベースを検索し、施設利用ＩＤと関連付けて記録された店舗ＩＤ及び支払金額を求め、求められた店舗ＩＤ及び支払金額に基づいて、店舗ＩＤによって識別される店舗ごとに定められた支払金額とポイントとの関係が記録されたポイント付与ルールデータベースを検索して付与するポイント値を求め、求めた付与するポイント値をネットワークを介して前記携帯端末へ送信することを特徴とするものである。
【００１０】
請求項６に係る発明は、請求項１から請求項５において、施設利用ＩＤは駐車利用ＩＤ、施設管理サーバは駐車場管理サーバ、施設利用データベースは駐車利用データベースであることを特徴とするものである。
【発明の効果】
【００１１】
請求項１に係る発明によると、施設利用１件ごとに施設利用ＩＤ番号を対応させて識別し、施設管理サーバで利用開始、終了、料金計算を管理し、携帯端末で施設利用が終わる時刻までの料金を、あらかじめ支払いをすることにより、出口では、施設利用ＩＤ番号が確認されれば、直ちに施設から出ることができる。
利用者は、出入り口での操作が簡単にでき、出口での待ちが無くなり、支払いをする場所や時間の自由度が増し、また、現金を用いずスマートに支払いができる、という利便性がある。
施設運営者は、駐車券やレシートの発行を不要とすることができ、用紙など消耗品のコストを削減することができる。
また、使用済駐車券など廃棄物が減り、環境に配慮した社会貢献ができる。
【００１２】
請求項２に係る発明によると、請求項１の発明における施設利用ＩＤ番号を、ＩＣカードやスマートフォンなどのＩＣチップに記録されたＩＤ番号、ナンバープレートの車両番号などを用いることにより実現することができる。
【００１３】
請求項３に係る発明によると、店舗の割引認証機は、施設利用ＩＤと店舗での支払金額と店舗を識別する店舗ＩＤを、施設管理サーバへ送信し、店舗ＩＤ及び支払金額に基づいて、店舗ＩＤによって識別される店舗ごとに定められた支払金額と割引金額との関係が記録された割引データベースを検索して割引金額を求めることができる。
【００１４】
請求項４に係る発明によると、設置されたポイント認証機は、施設利用ＩＤと店舗での支払金額と店舗を識別する店舗ＩＤを、施設管理サーバへ送信し、
施設管理サーバは、受信した店舗ＩＤ及び支払金額に基づいて、店舗ＩＤによって識別される店舗ごとに定められた支払金額とポイントとの関係が記録されたポイント付与ルールデータベースを検索して、付与するポイント数を求めて加算し、会員ＩＤに関連付けて会員が保持するポイント数を加算後のポイント数に更新することができる。
【００１５】
請求項５に係る発明によると、施設管理サーバは、受信した施設利用ＩＤに基づいて店舗支払データベースを検索し、施設利用ＩＤと関連付けて記録された店舗ＩＤ及び支払金額を求め、求められた店舗ＩＤ及び支払金額に基づいて、店舗ＩＤによって識別される店舗ごとに定められた支払金額とポイントとの関係が記録されたポイント付与ルールデータベースを検索して付与するポイント値を求め、求めた付与するポイント値をネットワークを介して前記携帯端末へ送信することができる。
【００１６】
請求項６に係る発明によると、駐車場利用の料金徴収に応用することができる。
【図面の簡単な説明】
【００１７】
【図１】施設利用料金徴収システムを示した機能ブロック図である。
【図２】携帯端末を用いた入場処理を説明するフロー図である。
【図３】車両番号認識を用いた入場処理を説明するフロー図である。
【図４】事前精算を説明するフロー図である。
【図５Ａ】施設利用終了時の携帯端末を用いた精算を説明するフロー図である。
【図５Ｂ】施設利用終了時の携帯端末を用いた精算を説明するフロー図である。
【図６Ａ】施設利用終了時の車両番号認識を用いた精算を説明するフロー図である。
【図６Ｂ】施設利用終了時の車両番号認識を用いた精算を説明するフロー図である。
【図７】割引サービスを説明するフロー図である。
【図８】ポイントサービスを説明するフロー図である。
【図９】ポイントサービスの携帯端末への送信を説明するフロー図である。
【実施例１】
【００１８】
（電子マネーのＩＤ番号による例）
図１は、本発明を駐車場に応用し、ＩＤ番号を電子マネーのＩＤ番号とした場合の施設利用料金徴収システムの一実施例の機能ブロック図である。図１において、１０１は携帯端末としてのスマートフォン、１０１ａはスマートフォン１０１が搭載するＩＣチップ、１０２は施設管理サーバとしての駐車場管理サーバ、１０３は利用開始管理手段としての駐車場入口機器、１０４は駐車場入口機器１０３を構成する入場機、１０４ａは入場機１０４が搭載するＩＣカードリーダ、１０５は駐車場入口機器１０３を構成するゲート機、１０６は駐車場入口機器１０３を構成する車両番号認識装置、１０７は駐車場入口機器１０３を構成する車両検知器、１０８は利用終了管理手段としての駐車場出口機器、１０９は駐車場出口機器１０８を構成する出場機、１０９ａは出場機１０９が搭載するＩＣカードリーダ、１１０は駐車場出口機器１０８を構成するゲート機、１１１は駐車場出口機器１０８を構成する車両番号認識装置、１１２は駐車場出口機器１０８を構成する車両検知器、１１３はインターネットである。
駐車場管理サーバ１０２は、施設利用データベースとしての駐車利用データベース１１４と、料金データベース１１５と、利用者データベース１１６と、店舗支払データベース１１７と、割引データベース１１８と、ポイント会員データベース１１９と、会員ポイントデータベース１２０と、ポイント付与ルールデータベース１２１を有する。
１２２は駐車場内および駐車場周辺の店舗に設置されＩＣカードリーダを有する割引認証機である。
１２３は駐車場内および駐車場周辺の店舗に設置されＩＣカードリーダを有するポイント認証機である。ポイント認証機１２３は読み取るデータにより割引認証機１２２を兼用することができる。
【００１９】
駐車場管理サーバ１０２はインターネット１１３経由でアクセス可能となっている。
駐車利用データベース１１４には、駐車利用の一件ごとに、利用者が有する電子マネーなどのＩＤ番号に関連付けて、駐車場に入場した日付・時刻、支払済みの金額、が記録される。
料金データベース１１５には、入場した日、時刻及び駐車時間と駐車料金との関係が記録される。
駐車場入口機器１０３は駐車場入口に置かれ、ＩＣカードリーダ１０４ａを搭載した入場機１０４とゲート機１０５を置く。入場機１０４と駐車場管理サーバ１０２はインターネット１１３経由で通信し、入場機１０４とゲート機１０５はシリアル回線で通信する。入場機１０４は、ＩＣカードリーダ１０４ａを搭載し、利用者が有する電子マネーのＩＤ番号やポイント会員の会員カードに記録された会員ＩＤ番号などを読み取りできる。ゲート機１０５は、入場機１０４から、ゲートの開、閉を制御される。
駐車場出口機器１０８は駐車場出口に置かれ、ＩＣカードリーダ１０９ａを搭載した出場機１０９とゲート機１１０を置く。出場機１０９と駐車場管理サーバ１０２はインターネット１１３経由で通信し、出場機１０９とゲート機１１０はシリアル回線で通信する。出場機１０９は、ＩＣカードリーダ１０９ａを搭載し、利用者が有する電子マネーのＩＤ番号やポイント会員の会員カードに記録された会員ＩＤ番号などを読み取りできる。ゲート機１１０は、出場機１０９から、ゲートの開、閉を制御される。
利用者が有するスマートフォン１０１には、電子マネーのＩＣチップが搭載されており、また、駐車場を利用するためのアプリソフトがインストールされている。スマートフォン１０１は、インターネット１１３を経由して、駐車場管理サーバ１０２と通信する。
【００２０】
駐車場を利用する場合のシステムの動作について説明する。
利用者が車両を運転し、駐車場入り口に近づき、スマートフォン１０１を入場機１０４のＩＣカードリーダ１０４ａにかざす（図２のＰ２０１）と、入場機１０４のＩＣカードリーダ１０４ａはスマートフォン１０１のＩＣチップに記録された電子マネーのＩＤ番号を読み取る（Ｐ２０２）。スマートフォン１０１のＩＣチップに記録された電子マネーのＩＤ番号は、施設利用ＩＤとして機能する。入場機１０４は、入場ゲート１０５を開ける（Ｐ２０３）とともに、読み取った電子マネーのＩＤ番号と、入場日付・時刻を駐車場管理サーバ１０２へ送る（Ｐ２０４）。
駐車場管理サーバ１０２は、入場日付・時刻と電子マネーのＩＤ番号を受信する（Ｐ２０５）と、駐車利用データベース１１４へ、受け取った電子マネーのＩＤ番号と入場日付・時刻を関連付けて記録する（Ｐ２０６）。
【００２１】
利用者は、目的の用事が済み、駐車場利用の終了時刻が分かると、スマートフォン１０１のアプリへ駐車場利用の終了予定時刻を入力して（図４のＰ４０１）、駐車料金を問い合わせする。アプリは、スマートフォン１０１の電子マネーのＩＤ番号（施設利用ＩＤ）と駐車場の利用の終了予定時刻を駐車場管理サーバ１０２に送る（Ｐ４０２）。駐車場管理サーバ１０２は、終了予定時刻である出場予定時刻と、電子マネーのＩＤ番号とを受信し（Ｐ４０３）、受け取った電子マネーのＩＤ番号により駐車利用データベース１１４を検索して関連付けて記録されている入場日付・時刻を読み出し、受け取った駐車場の利用の終了予定時刻との差分から駐車時間を計算し、料金データベース１１５を参照して、駐車料金を計算し（Ｐ４０４）、その結果である駐車料金と入場時刻をスマートフォン１０１のアプリへ送る（Ｐ４０５）。スマートフォン１０１のアプリは、駐車料金と入場時刻を受信し（Ｐ４０６）、受け取った駐車料金の金額と入場時刻を表示し（Ｐ４０７）、利用者が所定の方法にて駐車料金の金額を支払い完了する（Ｐ４０８）と、スマートフォン１０１のアプリは、利用者が駐車料金の金額を支払いしたことを駐車場管理サーバ１０２へ送る（Ｐ４０９）。駐車場管理サーバ１０２は、駐車料金を支払いをしたことを受信する（Ｐ４１０）と、前記電子マネーのＩＤ番号に関連付けて、支払済みの金額を駐車利用データベース１１４に記録する（Ｐ４１１）。
後述するように割引認証機１２２による割引サービスがあるときは、駐車管理サーバ１０２における駐車料金の計算には、利用した店舗ごとに定められた割引金額を求めることができる。
また後述するようにポイント認証機１２３によるポイント付与サービスがあるときは、駐車管理サーバ１０２における駐車料金の計算の際に、ポイント数に応じた特典例えば駐車料金の割引あるいは他の特典を受けることができる。
【００２２】
利用者が車両を運転し駐車場出口へ近づき、スマートフォン１０１を出場機１０９のＩＣカードリーダ１０９ａにかざす（図５ＡのＰ５０１）と、出場機１０９のＩＣカードリーダ１０９ａはスマートフォン１０１のＩＣチップに記録された電子マネーのＩＤ番号を読み取る（Ｐ５０２）。出場機１０９は、電子マネーのＩＤ番号を読み取ると読み取った電子マネーのＩＤ番号と出場日付・時刻を駐車場管理サーバ１０２へ送る（Ｐ５０３）。
駐車場管理サーバ１０２は、電子マネーのＩＤ番号と出場日付・時刻を受信し（Ｐ５０４）、受け取った電子マネーのＩＤ番号により駐車利用データベース１１４を検索して入場日付・時刻と支払金額を読み出し、受け取った出場時刻との差分から駐車時間を計算し、料金データベース１１５を参照して、駐車料金を計算し（Ｐ５０５）、前記読み取った支払い済み金額と前記計算した駐車料金を比較して（図５ＢのＰ５０６）、少なくとも支払い不足がなければ、支払い完了であることを出場機１０９へ送る（Ｐ５０７）とともに、駐車利用データベース１１４に前記電子マネーのＩＤ番号に関連付けて、支払済み金額を記録する。
出場機１０９は、支払い完了であることを受け取る（Ｐ５０８）と、ゲート機１１０へゲート開を指示する。ゲート機１１０はゲートを開いて（Ｐ５０９）車両を退出させる。
もし、支払い不足があれば、駐車場管理サーバ１０２は、入場時刻、支払済み金額、不足分の料金額をスマートフォン１０１のアプリへ送る（Ｐ５１０）。スマートフォン１０１は、入場時刻、支払済み金額、不足分の料金額を受信し（Ｐ５１１）、その内容を表示し（Ｐ５１２）、利用者が所定の方法にて駐車料金の金額を支払い実行し（Ｐ５１３）完了すると、利用者が駐車料金の金額を支払いしたことを駐車場管理サーバ１０２に送る（Ｐ５１４）。
駐車場管理サーバ１０２は、支払いが済んで出場可能を受信する（Ｐ５１５）と、支払い完了であることを出場機１０９へ送る（Ｐ５１６）とともに、駐車利用データベース１１４に前記電子マネーのＩＤ番号に関連付けて、今回の支払済み金額を記録する（Ｐ５１７）。出場機１０９は、前記支払い完了であることを受け取る（Ｐ５０８）と、ゲート機１１０へゲート開を指示する。ゲート機１１０はゲートを開いて（Ｐ５０９）車両を退出させる。
【００２３】
（その他のＩＤ番号）
施設利用ＩＤとして電子マネーのＩＤ番号を用いるものとして、利用者が有するスマートフォン（携帯端末）１０１に搭載された非接触ＩＣチップに記録されたＩＤ番号を用いるものを説明した。
その他に、
利用者が有するＩＣカードの非接触型または接触型ＩＣチップにＩＤ番号を記録し、このＩＤ番号を施設利用ＩＤとし、駐車場入り口機器１０３が有するカード読み取り装置としてのＩＣカードリーダ１０４ａにより読み取るもの、
利用者が有するカードにＩＤ番号を文字列、図形またはバーコードで記録し、このＩＤ番号を施設利用ＩＤとし、駐車場入り口機器１０３において図示しないカードリーダにより読み取るもの、
あるいは、利用者が有するカードに磁気的に記録されたＩＤ番号を記録し、このＩＤ番号を施設利用ＩＤとし、駐車場入り口機器１０３において図示しない磁気カードリーダにより読み取るものとしてもよい。
または、駐車場入り口機器１０３が有する車両番号認識装置１０６で読み取った、ナンバープレートに記載される車両番号を施設利用ＩＤとするようにしてもよい。
または、予め利用者登録しその際に顔認識装置で利用者の顔の特徴を読み取り、その顔の特徴データと対応させて利用者番号に割り当て、顔の特徴データと利用者番号と関連付けて利用者データベースに記録し、顔の特徴データから利用者データベースを検索して求める利用者番号を施設利用ＩＤとしてもよい。
または、駐車場入り口機器１０３に図示しない施設利用券発行機を設け、施設利用券発行機が施設利用券を発行する際にその施設利用券に互いに異なるように割り当てたＩＤ番号を施設利用ＩＤとしてもよい。
あるいは駐車場入り口機器１０３にＩＣカード書込機を設け、当該ＩＣカード書込機により利用者が有するＩＣカードまたはスマートフォン（携帯端末）１０１に搭載された非接触ＩＣチップにＩＤ番号を書き込むようにし、当該書き込まれたＩＤ番号を施設利用ＩＤとしてもよい。
【実施例２】
【００２４】
（車両番号を施設利用ＩＤとする例）
図１に示すように、駐車場管理サーバ１０２はインターネット１１３経由でアクセス可能となっている。
駐車利用データベース１１４には、駐車利用の一件ごとに、車両番号に関連付けて、駐車場に入場した日付・時刻、支払済みの金額、が記録される。
料金データベース１１５には、入場した日、時刻及び駐車時間と駐車料金との関係が記録される。
駐車場入口機器１０３は駐車場入口に置かれ、入場機１０４とゲート機１０５、車両感知器１０７及び車両認識装置１０６を置く。入場機１０４と駐車場管理サーバ１０２はインターネット１１３経由で通信し、入場機１０４とゲート機１０５、車両感知器１０７、車両認識装置１０６はシリアル回線で通信する。ゲート機１０５は、入場機１０４から、ゲートの開、閉を制御される。
駐車場入り口の車両検知器１０７は、車路地下に埋設したループコイルで磁界の変化を検知して、車両がループコイルの上部車路に存在するかどうかの信号を入場機１０４へ送る。車両番号認識装置１０６は、車両のナンバープレートをカメラで撮影し、文字認識して車両番号を読み取り、入場機１０４へ送る。
駐車場出口機器１０８は駐車場出口に置かれ、出場機１０９とゲート機１１０、車両感知器１１２及び車両認識装置１１１を置く。出場機１０９と駐車場管理サーバ１０２はインターネット１１３経由で通信し、出場機１０９とゲート機１１０、車両感知器１１２、車両認識装置１１１はシリアル回線で通信する。ゲート機１１０は、出場機１０９から、ゲートの開、閉を制御される。
駐車場出口の車両検知器１１２は、車路地下に埋設したループコイルで磁界の変化を検知して、車両がループコイルの上部車路に存在するかどうかの信号を出場機１０９へ送る。車両番号認識装置１１１は、車両のナンバープレートをカメラで撮影し、文字認識して車両番号を読み取り、出場機１０９へ送る。
利用者が有するスマートフォン１０１には、駐車場を利用するためのアプリソフトがインストールされている。スマートフォン１０１は、インターネット１１３を経由して、駐車場管理サーバ１０２と通信する。
【００２５】
駐車場を利用する場合のシステムの動作について説明する。
利用者が車両を運転し、駐車場入り口に近づくと、車両検知器１０７が車両を検知して車両番号認識装置１０６で車両番号を読み取り（図３のＰ３０１）、入場機１０４へ車両番号の信号を送る。車両番号認識装置１０６が認識した車両番号は、施設利用ＩＤとして機能する。入場機１０４は、車両番号認識装置１０６を指示して車両番号の認識結果を受け取ると、ゲート機１０５へゲートの開を指示してゲート機１０５のゲートを開け（Ｐ３０２）、車両を駐車場内へ進入させる。一方、入場機１０４は、利用者用ＩＤとして前記受け取った車両番号と、入場日付・時刻を駐車場管理サーバ１０２へ送る（Ｐ３０３）。駐車場管理サーバ１０２は、入場日付・時刻と車両番号を受信し（Ｐ３０４）、駐車利用データベース１１４へ、受け取った車両番号と入場日付・時刻を関連付けて記録する（Ｐ３０５）。
【００２６】
利用者は、目的の用事が済み、駐車場利用の終了時刻が分かると、スマートフォン１０１のアプリへ車両番号と駐車場利用の終了予定時刻を入力して（図４のＰ４０１）、駐車料金を問い合わせする。アプリは、車両番号（施設利用ＩＤ）と駐車場の利用の終了予定時刻を駐車場管理サーバ１０２に送る（Ｐ４０２）。駐車場管理サーバ１０２は、終了予定時刻である出場予定時刻と、車両番号とを受信し（Ｐ４０３）、受け取った車両番号により駐車利用データベース１１４を検索して関連付けて記録されている入場日付・時刻を読み出し、受け取った駐車場の利用の終了予定時刻との差分から駐車時間を計算し、料金データベース１１５を参照して、駐車料金を計算し（Ｐ４０４）、その結果と入場時刻をスマートフォン１０１のアプリへ送る（Ｐ４０５）。スマートフォン１０１のアプリは、駐車料金と入場時刻を受信し（Ｐ４０６）、受け取った駐車料金の金額と入場時刻を表示し（Ｐ４０７）、利用者が所定の方法にて駐車料金の金額を支払い完了する（Ｐ４０８）と、スマートフォン１０１のアプリは、利用者が駐車料金の金額を支払いしたことを駐車場管理サーバ１０２へ送る（Ｐ４０９）。駐車場管理サーバ１０２は、、駐車料金を支払いをしたことを受信する（Ｐ４１０）と、前記車両番号に関連付けて、支払済みの金額を駐車利用データベース１１４に記録する（Ｐ４１１）。
【００２７】
利用者が車両を運転し駐車場出口へ近づくと、車両感知器１１２が車両を検知して車両番号認識装置１１１で車両番号を読み取り（図６ＡのＰ６０１）、出場機１０９へ車両番号の信号を送る。出場機１０９は、車両番号認識装置１１１へ指示して車両番号の認識結果を受け取ると、受け取った車両番号と、出場日付・時刻を駐車場管理サーバ１０２へ送る（Ｐ６０２）。
駐車場管理サーバ１０２は、車両番号と出場日付・時刻を受信し（Ｐ６０３）、受け取った車両番号により駐車利用データベース１１４を検索して入場日付・時刻と支払金額を読み出し、受け取った出場時刻との差分から駐車時間を計算し、料金データベース１１５を参照して、駐車料金を計算し（Ｐ６０４）、前記読み取った支払い済み金額と前記計算した駐車料金を比較して（図６ＢのＰ６０５）、少なくとも支払い不足がなければ、支払い完了であることを出場機１０９へ送る（Ｐ６０６）とともに、駐車利用データベース１１４に前記車両番号に関連付けて、支払済み金額を記録する。
出場機１０９は、支払い完了であることを受け取ると（Ｐ６０７）、ゲート機１１０へゲート開を指示する。ゲート機１１０はゲートを開いて（Ｐ６０８）車両を退出させる。
もし、支払い不足があれば、駐車場管理サーバ１０２は、入場時刻、支払済み金額、不足分の料金額をスマートフォン１０１のアプリへ送る（Ｐ６０９）。スマートフォン１０１は、入場時刻、支払済み金額、不足分の駐車料金の金額を受信し（Ｐ６１０）、その内容を表示し（Ｐ６１１）、利用者が所定の方法にて駐車料金の金額を支払い実行し（Ｐ６１２）
完了すると、利用者が駐車料金の金額を支払いしたことを駐車場管理サーバ１０２に送る（Ｐ６１３）。
駐車場管理サーバ１０２は、支払いが済んで出場可能を受信する（Ｐ６１４）と、
支払い完了であることを出場機１０９へ送る（Ｐ６１５）とともに、駐車利用データベース１１４に前記車両番号に関連付けて、今回の支払済み金額を記録する（Ｐ６１６）。出場機１０９は、前記支払い完了であることを受け取る（Ｐ６０７）と、ゲート機１１０へゲート開を指示する。ゲート機１１０はゲートを開いて（Ｐ６０８）車両を退出させる。
【実施例３】
【００２８】
（割引サービスの例）
図１に示すように、駐車場管理サーバ１０２はインターネット１１３経由でアクセス可能となっている。駐車場等の施設内及びその周辺に存在する店舗に割引認証機１２２を備えるものがある。割引認証機１２２は前記した種々の施設利用ＩＤを読み取ることができる。施設利用ＩＤには、利用者が有するスマートフォン（携帯端末）１０１に搭載された非接触ＩＣチップに記録されたＩＤ番号、利用者が有するＩＣカードの非接触型または接触型ＩＣチップにＩＤ番号を記録し、利用者が有するカードにＩＤ番号を文字列、図形またはバーコードで記録されたＩＤ番号、あるいは、利用者が有するカードに磁気的に記録されたＩＤ番号、または、駐車場入り口機器１０３が有する車両番号認識装置１０６で読み取り、スマートフォン１０１に記録された利用者の車両番号、前記した顔認識装置で利用者の顔の特徴を読み取り、その顔の特徴データと対応させて割り当てた利用者番号、または、前記したように駐車場入り口機器１０３に図示しない施設利用券発行機を設け、施設利用券発行機が施設利用券を発行する際にその施設利用券に互いに異なるように割り当てたＩＤ番号、あるいは駐車場入り口機器１０３にＩＣカード書込機を設け、当該ＩＣカード書込機により利用者が有するＩＣカードまたはスマートフォン（携帯端末）１０１に搭載された非接触ＩＣチップにＩＤ番号を書き込むようにし、当該書き込まれたＩＤ番号等が用いられる。
利用者が割引認証機１２２を備える店舗において買い物をして、その際割引認証機１２２に施設利用ＩＤを読み取らせるとともに、割引認証機１２２はその施設利用ＩＤと店舗での支払金額と店舗を識別する店舗ＩＤを駐車場管理サーバ１０２へ送信する（図７のＰ７０１）。駐車場管理サーバ１０２は、受信した支払金額と、店舗ＩＤを、施設利用ＩＤと関連付けて、支払金額と店舗ＩＤが施設利用ＩＤと関連付けて店舗支払いデータベースに記録する（Ｐ７０２）。
利用者が、スマートフォン１０１のアプリにより駐車料金を問い合わせすると、駐車場管理サーバ１０２が駐車料金を計算する。駐車場管理サーバ１０２は施設利用ＩＤに基づいて店舗支払データベース１１７を検索し、施設利用ＩＤと関連付けて記録された店舗ＩＤ及び支払金額を求め、求められた店舗ＩＤ及び支払金額に基づいて、店舗ＩＤによって識別される店舗ごとに定められた支払金額との関係が記録された利用データベースを検索して割引金額を求め、利用者が有するスマートフォン１０１へ送信する（Ｐ７０３）。利用者は現在時点の割引金額を確認することができる。
【実施例４】
【００２９】
（ポイントサービスの例）
図１に示すように、駐車場管理サーバ１０２はインターネット１１３経由でアクセス可能となっている。駐車場等の施設内及びその周辺に存在する店舗にポイント認証機１２３を備えるものがある。割引認証機１２２は前記したように種々の施設利用ＩＤを読み取ることができる。ポイント数付与により、ポイント会員にポイント数に応じた優待サービスを行うことができる。
利用者が割引認証機１２２を備える店舗において買い物をして、その際ポイント認証機１２３に施設利用ＩＤを読み取らせるとともに、ポイント認証機１２３はその施設利用ＩＤと店舗での支払金額と店舗を識別する店舗ＩＤを駐車場管理サーバ１０２へ送信する（図８のＰ８０１）。
駐車場管理サーバ１０２は、受信した施設利用ＩＤについて、ポイント会員の会員ＩＤを記録したポイント会員データベース１１９を検索して、前記施設利用ＩＤが合致するか調べる。合致する会員ＩＤが存在する場合には、駐車場管理サーバ１０２は、受信した店舗ＩＤ及び支払金額に基づいて、店舗ＩＤによって識別される店舗ごとに定められた支払金額とポイントとの関係が記録されたポイント付与ルールデータベースを検索して付与するポイント数を求める（Ｐ８０２）。
駐車場管理サーバ１０２は、ポイント会員を識別する会員ＩＤと関連付けて会員が保持するポイント数を記録する会員ポイントデータベース１２０を検索し、施設利用ＩＤと合致した会員ＩＤに関連付けて記録された現在のポイント数を求め、求めた現在のポイント数に、前記したポイント付与ルールデータベースを検索して求めたポイント数を加算し、会員ＩＤに関連付けて会員が保持するポイント数を加算後のポイント数に更新する（Ｐ８０３）。ポイント数付与により、ポイント会員にポイント数に応じた優待サービス、例えば駐車料金の割引あるいは他の特典を行うことができる。
【００３０】
（ポイントサービスのスマートフォンへの送信の例）
利用者が割引認証機１２２を備える店舗において買い物をして、その際ポイント認証機１２３に施設利用ＩＤを読み取らせるとともに、ポイント認証機１２３はその施設利用ＩＤと店舗での支払金額と店舗を識別する店舗ＩＤを駐車場管理サーバ１０２へ送信する（図９のＰ９０１）。
駐車場管理サーバ１０２は、受信した施設利用ＩＤに基づいて店舗支払データベース１１７を検索し、施設利用ＩＤと関連付けて記録された店舗ＩＤ及び支払金額を求め、求められた店舗ＩＤ及び支払金額に基づいて、店舗ＩＤによって識別される店舗ごとに定められた支払金額とポイントとの関係が記録されたポイント付与ルールデータベースを検索して付与するポイント値を求め、求めた付与するポイント値をネットワークを介して利用者が有するスマートフォン１０１へ送信する（Ｐ９０２）。当該スマートフォン１０１を有する利用者は自己のポイント数を知ることができ、ポイント数に応じた優待サービスを受けることができる。
【符号の説明】
【００３１】
１０１  スマートフォン（携帯端末）
１０１ａ  ＩＣチップ
１０２  駐車場管理サーバ（施設管理サーバ）
１０３  駐車場入口機器（利用開始管理手段）
１０４  入場機
１０４ａ  ＩＣカードリーダ
１０５  ゲート機
１０６  車両番号認識装置
１０７  車両検知器
１０８  駐車場出口機器（利用終了管理手段）
１０９  出場機
１０９ａ  ＩＣカードリーダ
１１０  ゲート機
１１１  車両番号認識装置
１１２  車両検知器
１１３  インターネット
１１４  駐車利用データベース（施設利用データベース）
１１５  料金データベース
１１６  利用者データベース
１１７  店舗支払データベース
１１８  割引データベース
１１９  ポイント会員データベース
１２０  会員ポイントデータベース
１２１  ポイント付与ルールデータベース
１２２  割引認証機
１２３  ポイント認証機
【図１】
2014174657.tif 000003
【図２】
2014174657.tif 000004
【図３】
2014174657.tif 000005
【図４】
2014174657.tif 000006
【図５Ａ】
2014174657.tif 000007
【図５Ｂ】
2014174657.tif 000008
【図６Ａ】
2014174657.tif 000009
【図６Ｂ】
2014174657.tif 000010
【図７】
2014174657.tif 000011
【図８】
2014174657.tif 000012
【図９】
2014174657.tif 000013